(57)【要約】【課題】通信業者が告知を統一的に管理していたために、即時性がなく、通信業者のサーバの負担が大きかった従来の問題を解決することができる、フェムトセル基地局及びその能動告知方法を提供する。【解決手段】フェムトセル基地局１は、コアネットワーク装置２及び移動通信機器３により構築された通信ネットワークに応用し、記憶モジュール１１、検出モジュール１２、抽出モジュール１３及び情報処理モジュール１４を備える。記憶モジュール１１に、告知を予め記憶させておく。検出モジュール１２は、フェムトセル基地局１が提供するカバレッジに移動通信機器３が入り、ビデオ通話又はビデオ／オーディオパケットスイッチデータのマルチメディアデータ通信が確立されたことを検出すると抽出要求を行い、マルチメディアデータ通信が確立された移動通信機器が送受信するマルチメディアデータに基づいて検出を行う。【選択図】図１Ａ
2012170043.tif 000002
【特許請求の範囲】
【請求項１】
コアネットワーク装置及び移動通信機器により構築された通信ネットワークに応用し、記憶モジュール、検出モジュール、抽出モジュール及び情報処理モジュールを備えるフェムトセル基地局であって、
前記記憶モジュールには、告知を予め記憶させておき、
前記検出モジュールは、フェムトセル基地局により提供されるカバレッジに移動通信機器が入り、ビデオ通話又はビデオ／オーディオパケットスイッチデータのマルチメディアデータ通信が確立されたことを検出すると抽出要求を行い、マルチメディアデータ通信が確立された移動通信機器が送受信するマルチメディアデータに基づいて検出を行い、
前記抽出モジュールは、検出モジュールからの抽出要求を受信した後、記憶モジュールから予め記憶した告知を抽出して出力し、
前記情報処理モジュールは、抽出モジュールから出力された告知を受け取った後、検出モジュールが検出したマルチメディアデータを抽出し、マルチメディアデータと告知とを合成し、告知を伴う合成マルチメディアデータを生成したり、前記マルチメディアデータに告知を割り込ませたりし、移動通信機器又は／及びコアネットワーク装置に、合成マルチメディアデータ又は告知を送信することを特徴とするフェムトセル基地局。
【請求項２】
前記記憶モジュールはハードディスク又はメモリであることを特徴とする請求項１に記載のフェムトセル基地局。
【請求項３】
前記記憶モジュールに接続され、
前記記憶モジュールは、ネットワークドライブ、外付けハードディスクドライブ又はフラッシュドライブであることを特徴とする請求項１に記載のフェムトセル基地局。
【請求項４】
前記告知は、テキスト、イメージ、音声又はマルチメディアデータのファイルであることを特徴とする請求項１に記載のフェムトセル基地局。
【請求項５】
ＩＵＨインタフェース又はＩＵインタフェースを有することを特徴とする請求項１に記載のフェムトセル基地局。
【請求項６】
コアネットワーク装置、フェムトセル基地局及び移動通信機器により構築した通信ネットワークに応用するフェムトセル基地局の能動告知方法であって、
告知を予め記憶させるステップと、
フェムトセル基地局により提供されるカバレッジに移動通信機器が進入したことを検知し、ビデオ通話又はビデオ／オーディオパケットスイッチデータのマルチメディアデータ通信を行うとき、予め記憶した告知を抽出するステップと、
マルチメディア通信を確立した移動通信機器が送受信するマルチメディアデータに対し、抽出した告知を合成し、告知を伴う合成マルチメディアデータを生成したり、マルチメディアデータに告知を割り込ませたりし、移動通信機器又は／及びコアネットワーク装置に、合成マルチメディアデータ又は告知を送信するステップと、を含むことを特徴とするフェムトセル基地局の能動告知方法。
【請求項７】
前記記憶ステップは、
ネットワークドライブ、外付けハードディスクドライブ、フラッシュドライブ、又はフェムトセル基地局内に配置されたハードディスクもしくはメモリに、告知を予め記憶させておくことを特徴とする請求項６に記載のフェムトセル基地局の能動告知方法。
【請求項８】
前記告知は、テキスト、イメージ、音声又はマルチメディアデータのファイルであることを特徴とする請求項６に記載のフェムトセル基地局の能動告知方法。
【請求項９】
前記フェムトセル基地局は、ＩＵＨインタフェースを有するフェムトセル基地局又はＩＵインタフェースを有するフェムトセル基地局であることを特徴とする請求項６に記載のフェムトセル基地局の能動告知方法。
【発明の詳細な説明】
【技術分野】
【０００１】
本発明はフェムトセル基地局に関し、特に、能動的に告知（ｍｅｓｓａｇｅ  ｂｒｏａｄｃａｓｔｉｎｇ）を行うフェムトセル基地局及びその方法に関する。
【背景技術】
【０００２】
高層ビルの密集度の高まりと建物内の移動通信利用者の増加に伴い、建物の室内がネットワークカバレッジ（ｎｅｔｗｏｒｋ  ｃｏｖｅｒａｇｅ）によりカバーされなくなる虞がある問題に鑑み、フェムトセル（ｆｅｍｔｏｃｅｌｌ）基地局（フェムト基地局とも称される）と呼ばれる基地局が開発されている。このフェムトセル基地局は、移動通信ネットワークのカバレッジを広げることにより、室内に電波が届きにくくなることを防ぐことができる。
【０００３】
実際には、あるフェムトセル基地局がカバーする通信エリアに移動通信機器が入り、移動通信機器が、通信エリアの受信品質が在圏可能であることを検知すると、その移動通信機器は、コアネットワーク装置を介し、フェムトセル基地局により提供される所望のサービスを受けることができる。例えば、移動通信機器の利用者は、コアネットワーク装置及びフェムトセル基地局により構築したインタラクティブ・ビデオ・プラットフォーム（ｉｎｔｅｒａｃｔｉｖｅ  ｖｉｄｅｏ  ｐｌａｔｆｏｒｍ）を介し、他の利用者とビデオ通話（ｖｉｄｅｏ  ｃａｌｌ）を行ったり、移動通信機器の利用者が、コアネットワーク装置及びフェムトセル基地局を介し、通信業者が提供するビデオ／オーディオのストリーミングデータ（ｓｔｒｅａｍｉｎｇ  ｄａｔａ）を得て、映像音声データを観賞する。
【０００４】
しかし、上述のフェムトセル基地局により提供される２種類のサービスでは、能動的に告知を行うことができない。言い換えれば、移動通信機器の利用者は、データを双方向で送受信するフェムトセル基地局によりカバーされる通信エリア内で、告知を即時に得ることができない。
【０００５】
上述の問題を解決するために、従来の方法では、通信業者がそのサーバ側（サーバ）に様々な告知を予め設定して統一的に管理しておき、コアネットワーク装置を介してその管轄エリア内の各フェムトセル基地局に分配した後、フェムトセル基地局は、その通信エリア内の移動通信機器の利用者に告知を提供する。しかし、通信業者が統一的に告知を設定して管理する方式は、非常に不便で柔軟性に乏しかった。例えば、告知が必要な者の実際の状況に応じ、その告知内容を増やしたり、変更したり、更新したりする必要がある場合、通信業者に申請して許可が下りるのを待つ必要があるが、その手続きは煩雑で時間がかかるため、即時性が求められる告知に適さなかった。さらに、多数の告知が同時に要求される場合、サーバのロードが増えて設備を増強させる必要があるため、通信業者の運営コストが増える虞がある。
【発明の概要】
【発明が解決しようとする課題】
【０００６】
本発明の目的は、通信業者が告知を統一的に管理していたために、即時性がなく、通信業者のサーバの負担が大きかった従来の問題を解決することができる、フェムトセル基地局及びその能動告知方法を提供することにある。
【課題を解決するための手段】
【０００７】
上記課題を解決するために、本発明の第１の形態によれば、コアネットワーク装置及び移動通信機器により構築された通信ネットワークに応用し、記憶モジュール、検出モジュール、抽出モジュール及び情報処理モジュールを備えるフェムトセル基地局であって、
前記記憶モジュールには、告知を予め記憶させておき、前記検出モジュールは、フェムトセル基地局により提供されるカバレッジに移動通信機器が入り、ビデオ通話又はビデオ／オーディオパケットスイッチデータのマルチメディアデータ通信が確立されたことを検出すると抽出要求を行い、マルチメディアデータ通信が確立された移動通信機器が送受信するマルチメディアデータに基づいて検出を行い、前記抽出モジュールは、検出モジュールからの抽出要求を受信した後、記憶モジュールから予め記憶した告知を抽出して出力し、前記情報処理モジュールは、抽出モジュールから出力された告知を受け取った後、検出モジュールが検出したマルチメディアデータを抽出し、マルチメディアデータと告知とを合成し、告知を伴う合成マルチメディアデータを生成したり、前記マルチメディアデータに告知を割り込ませたりし、移動通信機器又は／及びコアネットワーク装置に、合成マルチメディアデータ又は告知を送信することを特徴とするフェムトセル基地局が提供される。
【０００８】
また、前記記憶モジュールはハードディスク又はメモリであることが好ましい。
【０００９】
また、前記記憶モジュールに接続され、前記記憶モジュールは、ネットワークドライブ、外付けハードディスクドライブ又はフラッシュドライブであることが好ましい。
【００１０】
また、前記告知は、テキスト、イメージ、音声又はマルチメディアデータのファイルであることが好ましい。
【００１１】
また、ＩＵＨインタフェース又はＩＵインタフェースを有することが好ましい。
【００１２】
上記課題を解決するために、本発明の第２の形態によれば、コアネットワーク装置、フェムトセル基地局及び移動通信機器により構築した通信ネットワークに応用するフェムトセル基地局の能動告知方法であって、告知を予め記憶させるステップと、フェムトセル基地局により提供されるカバレッジに移動通信機器が進入したことを検知し、ビデオ通話又はビデオ／オーディオパケットスイッチデータのマルチメディアデータ通信を行うとき、予め記憶した告知を抽出するステップと、マルチメディア通信を確立した移動通信機器が送受信するマルチメディアデータに対し、抽出した告知を合成し、告知を伴う合成マルチメディアデータを生成したり、マルチメディアデータに告知を割り込ませたりし、移動通信機器又は／及びコアネットワーク装置に、合成マルチメディアデータ又は告知を送信するステップと、を含むことを特徴とするフェムトセル基地局の能動告知方法が提供される。
【００１３】
また、前記記憶ステップは、ネットワークドライブ、外付けハードディスクドライブ、フラッシュドライブ、又はフェムトセル基地局内に配置されたハードディスクもしくはメモリに、告知を予め記憶させておくことが好ましい。
【００１４】
また、前記告知は、テキスト、イメージ、音声又はマルチメディアデータのファイルであることが好ましい。
【００１５】
また、前記フェムトセル基地局は、ＩＵＨインタフェースを有するフェムトセル基地局又はＩＵインタフェースを有するフェムトセル基地局であることが好ましい。
【発明の効果】
【００１６】
本発明のフェムトセル基地局及びその能動告知方法は、通信業者が告知を統一して設置したり管理したりするためにロードが増えてしまう従来の問題を解決し、通信業者の運営コストを節減し、告知の管理を簡便に行うことができる上、告知を即時に行い、各フェムトセル基地局の様々なエリアにおいて、エリアの特色又はエリア内にいる利用者の必要性に応じた告知を行うことができる。
【図面の簡単な説明】
【００１７】
【図１Ａ】本発明の一実施形態によるフェムトセル基地局をフェムトセルゲートウェイを有する通信ネットワークの応用アーキテクチャに応用したときの状態を示す模式図である。
【図１Ｂ】本発明の一実施形態によるフェムトセル基地局をフェムトセルゲートウェイを有する通信ネットワークの応用アーキテクチャに応用したときの状態を示す模式図である。
【図２Ａ】本発明の一実施形態によるフェムトセル基地局をフェムトセルゲートウェイを有さない通信ネットワークの応用アーキテクチャに応用したときの状態を示す模式図である。
【図２Ｂ】本発明の一実施形態によるフェムトセル基地局をフェムトセルゲートウェイを有さない通信ネットワークの応用アーキテクチャに応用したときの状態を示す模式図である。
【図３】本発明の一実施形態によるフェムトセル基地局の能動告知方法を示す流れ図である。
【図４】本発明の一実施形態によるフェムトセル基地局が移動通信機器に対して告知を行うときのスクリーン画面を示す模式図である。
【発明を実施するための形態】
【００１８】
以下、本発明の実施形態について図に基づいて説明する。なお、これによって本発明が限定されるものではない。
【００１９】
図１Ａ及び図１Ｂを参照する。図１Ａの応用アーキテクチャの移動通信機器３は、マルチメディアデータ通信により、フェムトセルシステムにアクセスするときの状態を表し、図１Ｂの応用アーキテクチャの移動通信機器３は、マルチメディアデータ通信により、フェムトセルシステム及びマクロセルシステムにアクセスするときの状態を表す。
【００２０】
図１Ａ及び図１Ｂを参照する。図１Ａ及び図１Ｂに示すように、本発明の一実施形態によるフェムトセル（ｆｅｍｔｏｃｅｌｌ）基地局１は、コアネットワーク装置２及び移動通信機器３により構築された通信ネットワークに応用される。本実施形態のフェムトセル基地局１は、ＩＵＨインタフェース（フェムトセル基地局とフェムトセルゲートウェイとの間のインタフェース）を有するため、上述の通信ネットワークには、フェムトセルゲートウェイ４がさらに含まれる。フェムトセルゲートウェイ４を利用することにより、コアネットワーク装置２の管轄内でアクセス可能なフェムトセル基地局１の数が増え、より多くの移動通信機器３の利用者がフェムトセル基地局１により提供される無線業務サービスを利用することができる。例えば、移動通信機器３の利用者は、フェムトセル基地局１を利用し、他の利用者とビデオ通話（ｖｉｄｅｏ  ｃａｌｌ）を行ったり、移動通信機器３の利用者が、フェムトセル基地局１を利用し、コアネットワーク装置２からビデオ／オーディオパケットスイッチデータ（ｖｉｄｅｏ／ａｕｄｉｏ  ｐａｃｋｅｔ−ｓｗｉｔｃｈ  ｄａｔａ）をダウンロードして映像音声を視聴するなど、マルチメディアデータ通信を行うことができる。以下の実施形態では、移動通信機器３とフェムトセル基地局１とにより確立されるマルチメディアデータ通信のデータタイプを、ビデオ通信（ｖｉｄｅｏ  ｃａｌｌ）及び映像音声のビデオ／オーディオパケットスイッチデータ（ｓｔｒｅａｍｉｎｇ  ｄａｔａ）を例に説明する。
【００２１】
ここで、フェムトセル基地局１の利用者は、同じコアネットワーク装置２のエリア内でより多くのフェムトセル基地局にアクセスする必要がない場合、上述のものと異なるネットワークアーキテクチャを採用してもよい。図２Ａ及び図２Ｂを参照する。図２Ａ及び図２Ｂは、本発明の一実施形態によるフェムトセル基地局を異なる応用アーキテクチャのシステムに応用したときの状態を示す模式図である。図２Ａの応用アーキテクチャは、移動通信機器３がマルチメディアデータ通信により、フェムトセルシステムにアクセスするときの状態を表し、図２Ｂの応用アーキテクチャは、移動通信機器３がマルチメディアデータ通信により、フェムトセルシステム及びマクロセルシステムにアクセルすることを表す。
【００２２】
図２Ａ及び図２Ｂを参照する。図２Ａ及び図２Ｂのネットワークアーキテクチャに示すように、本実施形態のフェムトセル基地局１は、ＩＵインタフェースを有するフェムトセル基地局である。このようなフェムトセル基地局は、上述のフェムトセルゲートウェイ４を介せずに、コアネットワーク装置２に直接接続して双方向通信を行う。
【００２３】
ＩＵインタフェース及びＩＵＨインタフェースのそれぞれは、フェムトセル（ｆｅｍｔｏｃｅｌｌ）基地局の標準であり、本発明の原理を簡単に説明するために、以下では図１Ａ及び図１Ｂのネットワークアーキテクチャにより説明する。フェムトセル基地局１は、少なくとも記憶モジュール１１、検出モジュール１２、抽出モジュール１３及び情報処理モジュール１４を含む。
【００２４】
記憶モジュール１１は、告知を予め記憶させておくために用いる。記憶モジュール１１は、図１Ａ及び図１Ｂに示すように、フェムトセル基地局１内に配置する態様だけに限定されるわけではなく、様々なアーキテクチャの必要に応じ、ネットワークドライブ、外付けハードディスクドライブ又はフラッシュドライブでもよい。本実施形態では、フェムトセル基地局１内に配置する記憶モジュール１１は、例えば、ハードディスク又はメモリであり、利用者はインターネットの設備（例えばコンピュータ）又は移動通信機器３を介してフェムトセル基地局１にアクセスし、記憶モジュール１１に告知を直接書き込んだり更新したりする。ここで告知は、テキスト、イメージ、音声、マルチメディアデータなどのファイルでもよい。
【００２５】
検出モジュール１２は、フェムトセル基地局１により提供されるカバレッジに移動通信機器３が入り、ビデオ通話又はビデオ／オーディオパケットスイッチデータのマルチメディアデータ通信が確立されたことを検出したときに、抽出要求を行うために用いる。また、検出モジュール１２は、マルチメディアデータ通信が確立された移動通信機器３が送受信するマルチメディアデータに基づいて検出を行う。
【００２６】
抽出モジュール１３は、検出モジュール１２及び記憶モジュール１１に接続され、検出モジュール１２からの抽出要求を受信した後、記憶モジュール１１に予め記憶しておいた告知を抽出して出力する。
【００２７】
情報処理モジュール１４は、検出モジュール１２及び抽出モジュール１３に接続され、抽出モジュール１３から出力された告知を受け取った後、検出モジュール１２が検出したマルチメディアデータを抽出し、マルチメディアデータと告知とを合成し、告知を伴う合成マルチメディアデータを生成したり、移動通信機器３が送受信するマルチメディアデータに告知を割り込ませたりし、移動通信機器３又は／及びコアネットワーク装置２に合成マルチメディアデータ又は告知を送信する。
【００２８】
図１Ａの応用アーキテクチャに示すように、移動通信機器３の利用者は、フェムトセル基地局１を介し、コアネットワーク装置２からビデオ／オーディオパケットスイッチデータをダウンロードし、映像音声を視聴する際、移動通信機器３とフェムトセル基地局１とにより確立されたマルチメディアデータ通信タイプがビデオ／オーディオパケットスイッチデータであることを検出モジュール１２が検出すると、抽出要求を発信する。抽出モジュール１３は、予め記憶しておいた告知を抽出し、情報処理モジュール１４へ出力する。この情報処理モジュール１４が抽出する類型は、ビデオ／オーディオパケットスイッチデータのマルチメディアデータである。マルチメディアデータと告知とが合成され、告知を伴う合成マルチメディアデータが生成されたり、移動通信機器３が送受信するマルチメディアデータに告知を割り込ませ、移動通信機器３へ合成マルチメディアデータ又は告知を送信する。
【００２９】
続いて、図１Ｂの応用アーキテクチャに示すように、移動通信機器３の利用者は、フェムトセル基地局１を介し、マクロセル基地局５のカバレッジ内に位置する他の移動通信機器３’のその他の利用者とビデオ通話（ｖｉｄｅｏ  ｃａｌｌ）を行うとき、移動通信機器３とフェムトセル基地局１とにより確立されたマルチメディアデータ通信のタイプがビデオ通話であることを検出モジュール１２が検出すると、抽出要求を発する。この抽出モジュール１３は、予め記憶しておいた告知を抽出し、情報処理モジュール１４へ出力する。この情報処理モジュール１４が抽出する類型は、ビデオ通話のマルチメディアデータである。このマルチメディアデータと告知とが合成され、告知を伴う合成マルチメディアデータが生成されたり、移動通信機器３から他の移動通信機器３’へ送信されたり、他の移動通信機器３’から移動通信機器３へ送信されたりするマルチメディアデータに告知を割り込ませ、移動通信機器３へ合成マルチメディアデータ又は告知を送信したり、コアネットワーク装置２へ合成マルチメディアデータ又は告知を送信したりし、コアネットワーク装置２は、マクロセル基地局５を介して他の移動通信機器３’の他の利用者へ送信する。
【００３０】
次に、前述の図１Ａ及び図１Ｂに示す応用アーキテクチャに基づき、本発明のフェムトセル基地局の能動告知方法を説明する。図３を参照する。図３に示すように、本発明のフェムトセル基地局及びその能動告知方法は、コアネットワーク装置及び移動通信機器により構築された通信ネットワークに応用し、フェムトセル基地局により提供されたカバレッジに移動通信機器が入り、マルチメディアデータ通信が確立されると、フェムトセル基地局は、移動通信機器又は／及びコアネットワーク装置へ能動的に告知を送信する。
【００３１】
本実施形態のフェムトセル基地局は、ＩＵＨインタフェース又はＩＵインタフェースを有するフェムトセル基地局である。まず、ステップＳ１において、告知を予め記憶してからステップ２に進む。ここで、必要に応じ、ネットワークドライブ、外付けハードディスクドライブ、フラッシュドライブ、又はフェムトセル基地局内に配置されたハードディスク、メモリなどの記憶モジュールに告知を予め記憶させておき、前述の告知を予め記憶しておく記憶モジュールは、フェムトセル基地局により読取られる。また、記憶モジュールは、制御プログラムにより制御される。この制御プログラムは、前述の告知を予め記憶する以外に、所望の告知を入力するために用いるユーザインタフェースを提供することもできる。この制御プログラムは、フェムトセル基地局内のメモリ内にプレインストールしておいたり、フェムトセル基地局に外付けされた記憶装置にプレインストールしておいたりしてもよい。この記憶装置は、例えば、ネットワークドライブ、外付けハードディスクドライブ、メモリなどでもよい。
【００３２】
ステップＳ２において、フェムトセル基地局により提供されたカバレッジに移動通信機器が入り、ビデオ通話又はビデオ／オーディオパケットスイッチデータのマルチメディア通信が確立されたことを検知すると、予め記憶しておいた告知を抽出してからステップＳ３に進む。前述のマルチメディア通信には、移動通信機器が含まれる。この移動通信機器は、フェムトセル基地局を介して、コアネットワーク装置からビデオ／オーディオパケットスイッチデータ（ｓｔｒｅａｍｉｎｇ  ｄａｔａ）をダウンロードして映像音声を視聴したり、移動通信機器の利用者が、フェムトセル基地局及びコアネットワーク装置を介し、他の利用者とビデオ通話（ｖｉｄｅｏ  ｃａｌｌ）を行う。
【００３３】
ステップＳ３において、フェムトセル基地局と移動通信機器との間でマルチメディア通信が確立される過程で得られるマルチメディアデータ（例えば、ビデオ通話又はビデオ／オーディオパケットスイッチデータ）と告知とが合成され、告知を伴う合成マルチメディアデータが生成されたり、移動通信機器３から他の移動通信機器３’に送信されたり、他の移動通信機器３’から移動通信機器に送信されたりするマルチメディアデータに告知を割り込ませる。
【００３４】
ステップＳ４において、フェムトセル基地局とマルチメディア通信が確立された移動通信機器へ合成メディアデータ又は告知を送信したり、移動通信機器から出力されたマルチメディアデータを他の端末へ送信したりする。
【００３５】
続いて、図１Ｂと併せて図４を参照する。図４に示すように、マクロセル基地局５のカバレッジ内にある移動通信機器３’の利用者が、フェムトセル基地局１のカバレッジ内にある移動通信機器３とビデオ通話（ｖｉｄｅｏ  ｃａｌｌ）を行うとき、移動通信機器３’は、マクロセル基地局５、コアネットワーク装置２、フェムトセルゲートウェイ４及びフェムトセル基地局１を介し、移動通信機器３とマルチメディアデータ通信を行い、フェムトセル基地局１により移動通信機器３’と移動通信機器３との間のマルチメディアデータ通信を処理する際、予め記憶させておいた告知を抽出し、移動通信機器３’と移動通信機器３との双方が互いの画像電話データを受信する際に告知も受信する。図４を参照する。図４に示すように、移動通信機器３のスクリーン３０上には、移動通信機器３’を使用しているユーザのユーザ画像３１とともに、告知３２が一緒に表示される。この実施例によると、フェムトセル基地局１が○○デパートの近くに位置し、フェムトセル基地局１が○○デパートの建物内に設置されているため、○○デパートのスタッフは、業務の必要に応じ、フェムトセル基地局１からの告知を読取る。そのため、フェムトセル基地局１により確立されたマルチメディアデータ通信サービスの各移動通信機器は、フェムトセル基地局１が設置された場所に関する告知を得ることができる。そのため、本発明は、従来の告知システムと異なり、特定の者のみに告知を知らせることができる。
【００３６】
上述したことから分かるように、本発明のフェムトセル基地局及びその能動告知方法は、通信業者が告知を統一して設置したり管理したりするとロードが増えてしまうという従来の問題を解決することができる上、通信業者の運営コストを節減し、告知の管理を簡便に行うことができ、告知を即時に行い、各フェムトセル基地局の様々なエリアにおいて、エリアの特色又はエリア内にいる利用者の必要に応じて告知を行うことができる。
【００３７】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３８】
１  フェムトセル基地局
２  コアネットワーク装置
３  移動通信機器
３’  移動通信機器
４  フェムトセルゲートウェイ
５  マクロセル基地局
１１  記憶モジュール
１２  検出モジュール
１３  抽出モジュール
１４  情報処理モジュール
３０  スクリーン
３１  ユーザ画像
３２  告知
【図１Ａ】
2012170043.tif 000003
【図１Ｂ】
2012170043.tif 000004
【図２Ａ】
2012170043.tif 000005
【図２Ｂ】
2012170043.tif 000006
【図３】
2012170043.tif 000007
【図４】
2012170043.tif 000008